(57)【要約】【解決手段】  本発明は、留め金カバー（２１）に対して可動である少なくとも１つの調節組立体（１、２）を含み、調節組立体（１、２）とカバー（２１）にはそれぞれ、異なるブレスレット長へ誘導可能ないくつかの位置に従ったそれぞれの締結のための第１及び第２締結要素（２３、３５’）が設けられた、ブレスレット延長装置であって、調節組立体（１、２）とカバー（２１）にはさらに、第１及び第２割出し要素（１５、３５）がそれぞれ設けられた、ブレスレット延長装置に関する。【選択図】  図２
2021513885.tif 000002
【特許請求の範囲】
【請求項１】
留め金カバー（２１）に対して可動である少なくとも１つの調節組立体（１、２）を含み、前記調節組立体（１、２）と前記カバー（２１）にはそれぞれ、異なるブレスレット長へ誘導可能ないくつかの位置に従ったそれぞれの締結のための第１及び第２締結要素（２３、３５’）が設けられた、ブレスレット延長装置であって、前記調節組立体（１、２）と前記カバー（２１）にはさらに、第１及び第２割出し要素（１５、３５）がそれぞれ設けられた、ブレスレット延長装置。
【請求項２】
前記調節組立体（１、２）は第１案内要素（１０）を含み、前記留め金カバー（２１）は第２案内要素（３０）を含み、前記調節組立体（１、２）と前記カバー（２１）は、それぞれの案内要素（１０、３０）の協働により互いに可動に連結され、前記第１割出し要素（１５）は、前記第１案内要素（１０）上に配置される、
請求項１に記載のブレスレット延長装置。
【請求項３】
前記第１案内要素（１０）と前記第１割出し要素（１５）は、一体構造組立体を形成する、
請求項２に記載のブレスレット延長装置。
【請求項４】
前記第１割出し要素（１５）は、前記第１案内要素（１０）とは別個であり、とりわけ前記第１案内要素（１０）上へとりわけ打ち込みまたはオーバーモールドにより追加され、またはとりわけ前記調節組立体（１、２）のバー３の端部に位置する円筒状受け入れ要素（４）の端部に形成される、
請求項１または２に記載のブレスレット延長装置。
【請求項５】
前記第１割出し要素（１５）は前記第１案内要素（１０）の素材以外の素材製である、または前記第１割出し要素（１５）は前記第１案内要素（１０）の被膜の素材とは異なる素材の被膜を有する、
請求項４に記載のブレスレット延長装置。
【請求項６】
前記調節組立体（１、２）と前記第１案内要素（１０）は、２つの別個の要素である、または前記調節組立体（１、２）は、少なくとも１つのリンク（２）を含み、前記第１案内要素（１０）は前記リンク（２）と一体構造組立体を形成する、
請求項１から５のいずれか一項に記載のブレスレット延長装置。
【請求項７】
前記調節組立体（１、２）は、前記第１割出し要素（１５）に対して第２割出し要素（３５）に向かう弾性推力を発揮し、前記ブレスレットの前記長さの調節段階において前記第１及び第２割出し要素（１５、３５）の解放を可能にするために、前記第１割出し要素（１５）と協働するばね（３４）を含む、
請求項１から６のいずれか一項に記載のブレスレット延長装置。
【請求項８】
前記調節組立体（１、２）は、前記調節組立体のバー（３）の前記端部に配置された第１案内要素（１０）及びまたは第１割出し要素（１５）を含み、前記ばね（３４）は、前記第１案内要素（１０）及びまたは前記第１割出し要素（１５）に対して前記カバー（２１）に向かう弾性推力を発揮するよう、バー（３）上に配置される、
請求項７に記載のブレスレット延長装置。
【請求項９】
前記第１割出し要素（１５）及び前記第２割出し要素（３５）はそれぞれ、少なくとも１つの突起と空洞切り込みの形状を取り、または反対に、少なくとも１つの空洞切り込みと突起の形状を取る、
請求項１から８のいずれか一項に記載のブレスレット延長装置。
【請求項１０】
前記第１及び第２締結要素（２３、３５’）は、一方では調節組立体のリンク（１）上に配置された歯の形状を取り、他方では前記留め金の前記カバー（２１）の内面に配置された歯の形状を取る、
請求項１から９のいずれか一項に記載のブレスレット延長装置。
【請求項１１】
前記留め金カバー（２１）の前記第２締結要素（３５’）と前記留め金カバー（２１）の前記第２割出し要素（３５）は、前記カバー（２１）の２つの異なる区域、とりわけ前記カバー（２１）の２つの異なるまたは整列されていない面上に配置される、
請求項１から１０のいずれか一項に記載のブレスレット延長装置。
【請求項１２】
前記調節組立体（１、２）は第１案内要素（１０）を含み、前記留め金カバー（２１）は第２案内要素（３０）を含み、前記調節組立体（１、２）及び前記カバー（２１）はそれぞれの案内要素（１０、３０）の協働により互いに可動に連結され、
前記第１案内要素（１０）は、前記第２案内要素（３０）と少なくとも部分的に接触する案内面を含み、前記案内面は、ポリアリールエーテルケトン（ＰＡＥＫ）族に属するポリマー素材を含み、及びまたは、
前記第１割出し要素（１５）及びまたは前記第２割出し要素（３５）及びまたは前記第２案内要素（３０）は、ポリアリールエーテルケトン（ＰＡＥＫ）族に属するポリマー素材を含む、
請求項１から１１のいずれか一項に記載のブレスレット延長装置。
【請求項１３】
前記調節組立体（１、２）と前記カバー（２１）の、前記２つのそれぞれの案内要素（１０、３０）は、とりわけ並進または実質的に並進の運動により、２つの案内要素の相対スライドを可能にする、
請求項１２に記載のブレスレット延長装置。
【請求項１４】
前記第１案内要素は、スライド、案内路、切欠き、穴または溝の形状を取る前記第２案内要素と協働する、ローラまたはランナまたはボールの形状を取る、
請求項１３に記載のブレスレット延長装置。
【請求項１５】
前記割出し要素（１５、３５）は、前記締結装置（２３、３５’）のピッチと同一のピッチに応じて、従って、前記割出し要素（１５、３５）によって規定される各位置は、対応する前記締結装置（２３、３５’）の締結位置を有するように、分布される、
請求項１から１４のいずれか一項に記載のブレスレット延長装置。
【請求項１６】
請求項１から１５のいずれか一項に記載のブレスレット延長装置を含む、ブレスレット用展開留め金。
【請求項１７】
請求項１６に記載の展開留め金を含む、ブレスレット。
【請求項１８】
請求項１から１５のいずれか一項に記載のブレスレット延長装置または請求項１６に記載の展開留め金または請求項１７に記載のブレスレットを含む、時計、とりわけ腕時計。
【発明の詳細な説明】
【技術分野】
【０００１】
本発明は、ブレスレットの２つの端部間に延長装置が設けられた及びまたは展開留め金が設けられた、腕時計用ブレスレットに特に適した、ブレスレット用の特定の案内及び接続システムを含む、ブレスレットの長さ調節用装置に関する。本発明はまた、当該ブレスレットの長さ調節用装置を組み込んだ留め金及びブレスレット自体に、及び当該装置を含む腕時計自体に関する。
【背景技術】
【０００２】
小型時計ブレスレットの２つのバンドを装着者の手首周りで結合するよう設計された従来技術の展開留め金は、第１閉鎖位置と、ブレードがもはや結合しておらずブレスレットの挿入または除去を可能とする第２開放位置とを取ることができる、複数の関節接合されたブレードを含む。このような留め金は、一般的には、従来の調節部と呼ばれる、ブレスレットに対する位置決めの第１調節部が設けられる。しかしながら、最終的に得られる長さは、多くの場合、最適ではない。
【０００３】
このため、既存の留め金は、第１の従来調節部を補完するための、快適調節と呼ばれることもある、ブレスレットの長さの第２調節を実施することを可能にする解決策が設けられる。特許文献１は、旋回して２つの異なるブレスレット長に誘導する２つの安定位置を取ることができる調節リンクに依拠する、一解決策を開示する。短い位置は、ブレスレットの端部リンクの切り込みにより維持され、その短い位置において、調節リンクに対して接続され、弾性的に係止される。特許文献２は、ブレスレットの調節リンクが当該ブレスレットの留め金カバーに対向して変位可能な他の解決策を開示し、ここで調節リンクは切り込みによりカバーに固定される。これら既存の解決策は、ブレスレットの長さを調節する際に、ブレスレットの所望の長さに対応してその位置が変化する締結装置を形成する可動要素を、例えば切り込みに対する適切な位置決めへ到達させなければならず、ユーザによる慎重な操作を必要とする。
【先行技術文献】
【特許文献】
【０００４】
【特許文献１】欧州特許出願公開第０８１９３９１号明細書
【特許文献２】欧州特許出願公開第１９０８３６６号明細書
【発明の概要】
【発明が解決しようとする課題】
【０００５】
本発明の全体的な目的の一つは、ブレスレットの長さの調節の簡便さまたは使いやすさをさらに改善することである。
【０００６】
より具体的には、本発明は、作業が確実であり操作が直感的で使いやすい、ブレスレットの長さ調節用解決策を提案する。
【０００７】
加えて、時計装置の、特にブレスレットの長さ調節用装置の可動部品は、
−  部品の変位を案内する機能における機械的ストレス、
−  落下、衝撃、断裂、ねじり等の特定の事象時の、並外れた機械的ストレス、
−  さびの発生や酸化といった劣化を発生させる可能性のある、汚染やユーザの汗といった環境的ストレス、
を含む、多数の制約が課せられる案内要素が設けられる。
【０００８】
本発明の第２の目的は、上述のストレスに対して最大限対応することを可能とする解決策を提供することである。
【０００９】
とりわけ本発明の第２の目的は、案内要素の摩耗を制限し、その摩擦を減少させ、急停止や発錆の危険性を減少し、案内要素内の埃の堆積及びまたは蓄積を制限または防止することを可能にする、時計装置の可動部品の案内解決策を提供するものである。
【課題を解決するための手段】
【００１０】
このため本発明は、留め金カバーに対して可動である少なくとも１つの調節組立体を含み、前記調節組立体と前記カバーにはそれぞれ、異なるブレスレット長へ誘導可能ないくつかの位置に従ったそれぞれの締結のための第１及び第２締結要素が設けられた、ブレスレット延長装置であって、前記調節組立体と前記カバーにはさらに、第１及び第２割出し要素がそれぞれ設けられた、ブレスレット延長装置に基づく。
【００１１】
本発明は、請求項によってさらに具体的に定義される。
【００１２】
本発明の目的、特徴及び有利点は、添付した図面を参照して以下に開示される特定の実施例の非限定的な記載によって詳細に開示される。
【図面の簡単な説明】
【００１３】
【図１】図１は、本発明の実施形態にかかるブレスレットの長さ調節用装置を包含する留め金カバーの、斜視図である。
【図２】図２は、本発明の実施形態にかかるブレスレットの長さ調節用装置を包含する留め金カバーの、縦断面に沿った断面図である。
【図３】図３は、本発明の実施形態にかかるブレスレットの長さ調節用装置の高さでの、留め金カバーの横断面に沿った断面図である。
【図４】図４は、調節装置のリンクの操作段階における、本発明の実施形態にかかるブレスレットの長さ調節用装置を包含する留め金カバーの斜視図である。
【図５】図５は、本発明の実施形態にかかるブレスレットの長さ調節用装置の案内要素の斜視図である。
【図６】図６は、本発明の実施形態にかかるブレスレットの長さ調節用装置の案内要素の、第１変形実施形態の断面図である。
【図７】図７は、本発明の実施形態にかかるブレスレットの長さ調節用装置の案内要素の、第２変形実施形態の断面図である。
【図８】図８は、本発明の実施形態にかかるブレスレットの長さ調節用装置のサブパーツの、変形実施形態を示す図である。
【図９】図９は、本発明の実施形態にかかるブレスレットの長さ調節用装置のサブパーツの、他の変形実施形態を示す図である。
【発明を実施するための形態】
【００１４】
本発明の実施形態にかかる、留め金内のブレスレットの長さ調節用装置について説明する。
【００１５】
当該ブレスレットの長さ調節用装置は、バー３周りに配置された２つの横延長リンク２と、当該バー３周りに回転可動に搭載されたリンク１とを含む。２つの横延長リンク２は、留め金カバー２１に対して可動である。バー３上に配置されたリンク１と２つの横リンク２を含む当該組立体は、ブレスレットの長さ調節用装置の調節組立体を形成する。変形例として、調節組立体は当該実施形態の形状以外の形状を取ってもよい。調節組立体は、単一の部品であっても一体構造であってもよく、または有利にはいくつかの部品からなる組立体を含んでもよい。
【００１６】
カバー２１は、それぞれが案内路を含む２つの側壁２２を含む。各案内路は、バー３の端部に位置される第１案内要素１０と協働する、第２案内要素３０を形成する。このため、調節組立体はまた、第１案内要素１０を含む。
【００１７】
当該実施形態において、第１案内要素１０は、有利には、ランナまたはローラまたはボールの形状を取り、第２案内要素３０は、当該ランナまたは当該ローラまたは当該ボールを受けるよう適合された案内路またはスライドまたは穴または切欠きまたは溝の形状を取る。バー３のそれぞれの端部に配置されたランナまたはローラまたはボールは、このため、並進に実質的に対応する運動により、それぞれの対向する案内路内で、平行にスライドする。
【００１８】
当該実施形態において、第１案内要素１０は、リンク１、２とは別個の要素の形状を取る。この特定の構成において、わずかに弧をなす輪郭の２つのランナは、２つの横リンク２の両側にそれぞれ配置され、バー３により横リンク２に組付けられる。このために、ランナは、特に図３で示すように、バー３の端部の円筒状受け入れ要素４周りにランナを位置するために設けられる、中央穴１１を含む。
【００１９】
バー３は、環状中央部分３３を含み、バー３の端部に位置する円筒状受け入れ要素４に、そして間接的に第１案内要素１０に、カバー２１に向かう、より具体的にはカバー２１の側壁２２に向かう弾性推力を発揮するばね３４が、環状中央部分３３の中に配置される。
【００２０】
当該実施形態において、第１案内要素１０は、すなわちランナまたはローラまたはボールは、一体構造である。更に、ランナまたはローラまたはボールは、ポリアリールエーテルケトン （ＰＡＥＫ）族に属する高性能ポリマー、とりわけポリエーテルエーテルケトン （ＰＥＥＫ）によって全体的に構成される。 
【００２１】
出願人による研究によって、当該ポリマーは、摩耗と摩損へのより良い耐性を有する上、部品の信頼性と耐久性を最適化するという利点をとりわけ有することがわかった。具体的には、ポリアセタール族のポリマーに比べ、すべりと耐性に関する性能が優れている。
【００２２】
代替的に、第１案内要素１０は単に、ポリアリールエーテルケトン （ＰＡＥＫ）族に属する高性能ポリマー製、とりわけＰＥＥＫからなる一部分を含んでもよい。 とりわけ、当該部分は、第２案内要素３０と、すなわち案内路またはスライドと接触することが意図される、案内表面の高さにあってもよい。このため、当該部分は、接触区域または摩擦区域の表面被覆の形態を取ってもよい。とりわけ、ＰＥＥＫでの構造は、ランナ周りに形成されても、とりわけランナ上にオーバーモールドされてもよい。例として、第１案内要素１０は、案内表面の全部または一部を形成する、ＰＥＡＫ族に属するポリマー素材を含む被覆により覆われたコアを含んでもよい。
【００２３】
他の変形例として、案内要素１０は、他の素材、例えば金属製であってもよい。
【００２４】
図８は、第１案内要素１０が横リンク２へ直接固定される、変形実施形態を図示する。当該変形例において、横延長リンク２の穴へ打ち込まれるための固定ブロック１２が第１案内要素１０の側面に設けられる。当該固定は、例えば、打ち込み、リベット止め、接合、溶接、またはろう付けにより実施されてもよい。案内要素１０は、その第２側面上に、案内表面１３を含む。
【００２５】
代替的に、横リンク２は、ランナの役割を果たす突起を、とりわけ円形または楕円形突起を含んでもよい。当該突起は、リンク２の側壁上に形成され、調節組立体の案内要素１０を形成する。この特定の例の場合、リンク２は一体構造である。リンクは、高性能ポリマー、特に、ポリアリールエーテルケトン（ＰＡＥＫ）族に属するポリマー素材、とりわけＰＥＥＫ製であってもよい。代替的に、突起は、横リンク２の側壁上にオーバーモールドされてもよい。他の代替策として、突起は、その表面全体または一部にわたり、ＰＥＡＫ、例えばＰＥＥＫで被覆されてもよい。
【００２６】
もちろん、カバー２１の案内要素３０もまた、ポリアリールエーテルケトン （ＰＡＥＫ）族に属する素材を含んでもよい。換言すれば、２つの案内要素１０、３０のいずれか一つが、その案内面の全部または一部にわたり、ポリアリールエーテルケトン （ＰＡＥＫ）族に属する素材を含んでよい。代替的に、２つの案内要素は、当該素材またはその他の素材を含んでもよい。
【００２７】
第２案内要素３０は、鋼または金や白金といった貴金属製であってもよい。代替的に、第２案内要素３０は、セラミック製であってもよい。より具体的には、第２案内要素は、セラミックまたは鋼または金や白金といった貴金属製のカバーを有する、一体構造であってもよい。上述のように、変形例として、第２案内要素３０は、高性能ポリマー、特に、ポリアリールエーテルケトン（ＰＡＥＫ）族に属するポリマー素材、とりわけＰＥＥＫ製であってもよい。より具体的には、第２案内要素は、全体がＰＥＥＫ製の留め金カバーを有する、一体構造製であってもよい。代替的に、第２案内要素３０は、好みで鋼または金や白金といった貴金属製のカバーに追加されてもよい。他の代替案として、第２案内要素３０は、セラミック製のカバー上に追加されてもよい。
【００２８】
例として、留め金カバーには、当該カバーの両側に形成された側壁上に配置された、スライダが設けられる。この特定の例の場合、カバーは一体構造である。カバーは、全体的に高性能ポリマー、とりわけＰＥＥＫから構成されてもよい。代替的に、スライダのみが、その表面の全部または一部にわたり、ポリアリールエーテルケトン（ＰＡＥＫ）族に属するポリマー素材、とりわけＰＥＥＫ素材で覆われてもよい。他の代替案として、カバーの全部が、他の素材、例えば金属製であってもよい。
【００２９】
ポリアリールエーテルケトン（ＰＡＥＫ）族において、選択された素材は、充填されてもされなくてもよい。フィラーにより、特に部品の摩擦学的及び機械的特性を最適化することができる。例として、フィラーは、少なくとも補強用繊維及びまたは潤滑剤及びまたは黒鉛を含んでもよい。変形例として、フィラーは、とりわけ部品の着色の目的のための、少なくとも１つの顔料を含んでもよい。
【００３０】
例示的実施形態によれば、選択された素材はＰＥＡＫ、とりわけＰＥＥＫ、ポリエーテルエーテルエーテルケトン（ＰＥＥＥＫ）、ポリエーテルケトン（ＰＥＫ）、ポリエーテルケトンケトン（ＰＥＫＫ）、または後者のコポリマー及びまたはポリマーの混合物である。また、当該ポリマー素材は、有利には、ポリテトラフルオロエチレン（ＰＴＦＥ）の、硫化モリブデンの、二硫化タングステンの、六方晶窒化ホウ素の、炭素繊維の、アラミド繊維の、ガラス繊維の、黒鉛の、グラフェンの、カーボンナノチューブの、ポリイミドの、硫化ポリフェニレンの、ダイヤモンドナノ粒子の、ポリシルセスキオキサンの、ホウ素繊維の、または後者の２つ以上の組み合わせの、少なくとも１つの充填剤を含んでもよい。もちろん、上記のリストは非限定的なものである。
【００３１】
具体的な例示的実施形態によれば、素材は、２０%のＰＴＦＥ、例えばＶｉｃｔｒｅｘ（登録商標）４５０ＦＥ２０を含む、ＰＥＥＫである。他の実施形態によれば、素材は、３０％の添加物を、とりわけ炭素繊維及びまたは黒鉛及びまたはＰＴＦＥを含む、ＰＥＥＫである。他の実施形態によれば、素材は、３０％の炭素繊維と、追加的な添加物を、とりわけ黒鉛及びまたはＰＴＦＥを含む、ＰＥＥＫである。炭素繊維の代替としてまたは追加的に、ＰＥＥＫに含まれる繊維は、アラミド繊維またはホウ素繊維であってもよい。使用可能なＰＥＡＫまたはＰＥＥＫの例として、特に、Ｖｉｃｔｒｅｘ（登録商標）ＰＥＥＫ  ４５０ＦＣ３０、Ｋｅｔｒｏｎ（登録商標）ＨＰＶ、Ｔｅｋａｐｅｅｋ（登録商標）ＰＶＸ、ＫｅｔａＳｐｉｒｅ（登録商標）ＫＴ−８２０  ＳＬ３０、ＡＫＲＯＴＥＫ（登録商標）ＰＥＡＫ  ＣＦ３０、ＡｖａＳｐｉｒｅ（登録商標）ＡＶ−６５１  ＣＦ３０、 ＡｖａＳｐｉｒｅ（登録商標）ＡＶ−７２２  ＳＬ３０、ＡｖａＳｐｉｒｅ（登録商標）ＡＶ−７５５  ＳＬ４５が挙げられる。全ての場合において、そしてとりわけ説明した全ての実施形態において、ＰＥＥＫポリマーは、ＰＥＡＫ族のその他のポリマーで代替可能であることを注記する。
【００３２】
具体的な例示的実施形態によれば、部品は、６５%のＰＥＥＫ、１５%の炭素繊維、１０%のＰＴＦＥ、８%のカーボンナノチューブ及び２%のナノダイヤモンドを含む。
【００３３】
ポリアリールエーテルケトン（ＰＡＥＫ）族に属する素材製の要素または要素の一部分は、当業者に既知のあらゆる方法または方法の組み合わせにより製造される。変形実施形態によれば、ポリアリールエーテルケトン（ＰＡＥＫ）族に属する素材製の部品または部品の一部の表面は、とりわけＰＥＡＫ製の表面の摩擦学的及びまたは摩耗挙動をさらに最適化するために第１要素を成形するために、または潤滑剤をよりよく分配するために、構造化、特に微細構造化されてもよい。当該構造化は、パーツの鋳造中に直接、またはその後の機械加工またはマイクロマシニングにより、例えばレーザ表面テクスチャリング（またはＬＳＴ）または化学エッチングにより、得られてもよい。構造化または微細構造化を得るために、その他の技術または技術の組み合わせを実施してもよい。
【００３４】
本発明の具体的な実施形態によれば、案内要素またはポリマーまたは金属製の一部分であってもよい案内要素の一部分は、ポリアリールエーテルケトン（ＰＡＥＫ）族に属する素材、とりわけＰＥＥＫを含む被覆により少なくとも部分的に覆われる。当該実施形態において、被覆は、従来の散布噴霧技術、静電式噴霧技術またはオーバーモールドを用いて塗布することができる。被覆はまた、例えばＤＬＣ被覆またはその他の適切な被覆技術により、当該部品の表面の微細構造化があってもなくても、前述の実施形態の１つにかかる要素に塗布されてもよい。表面の微細構造化は、被覆の塗布後に実施されてもよい。
【００３５】
加えて、実施形態によれば、留め金に対するリンク１と横延長リンク２の、すなわち留め金に対する調節組立体の、相対変位は、留め金に対する調節組立体の特定の相対安定位置決めを予め定めることを可能にする、割り出し装置を含む。当該割り出し装置は、一方では調節組立体の、または他方では留め金の、それぞれの割り出し要素を介して実施される。
【００３６】
このため、実施形態によれば、第１案内要素１０は第１割り出し要素１５を含む。例として、図５は、案内要素上に、とりわけ一体構造ランナ上に、直接形成されたいくつかの突起の形状を取る割り出し要素１５を含む、案内要素１０を図示する。これら突起は、半球状構成を有してもよい。代替的に、これら突起は、長方形及びまたは細長い形状といったその他の形状を有してもよい。これら突起は、図１及び２に示すように、留め金カバーの第２案内要素３０を形成する案内路内に配置された、連続した切込みの形状を取る、第２割り出し要素３５と協働するために設けられる。当該実施形態において、組立体が一体部品である場合、突起は第１案内要素の素材、例えばＰＥＡＫ、とりわけＰＥＥＫ製である。代替的に、突起は他の素材製であってもよく、とりわけ少なくとも一部がＰＥＡＫ製またはＰＥＡＫで覆われたランナ上に形成されてもよい。
【００３７】
例示的実施形態として、図６は、案内要素とは別個の割り出し要素１５が有利には打ち込みにより搭載される、円筒形開口部を含む、ランナの形状を有する案内要素１０を図示する。円筒形開口部１１は、バー３の端部に案内要素を搭載するために設けられた開口部の延長であってもよく、別個の開口部であってもよい。
【００３８】
図７は、ランナの形状を有する案内要素１０が、案内要素とは別個の割り出し要素１５周りに形成された、とりわけオーバーモールドされた、他の変形例を図示する。この結果は図６に示すものと同様である。
【００３９】
代替的に、割り出し要素１５は、図９に示すように、バー３の円筒状受け入れ要素４、とりわけバー３の円筒状受け入れ要素４の端部により、実施されてもよい。このため、円筒状受け入れ要素４は、第２割り出し要素３５と協働するため、とりわけ案内要素の位置決めのために設けられた中央穴１１を通過して、案内要素１０を貫通する。このため、第１割り出し要素１５は、案内要素１０と別個でもよい。具体的には、第１割り出し要素１５は、バー３により実施されてもよい。
【００４０】
上述の割り出し装置は、留め金カバーに対するブレスレットリンクの補完的割り出し装置と組み合わせられてもよいこと、すなわち図１及び２に示すようにとりわけ歯３５’を実施するバー割り出しシテムまたはボール割り出しシステムといった、従来の割り出しシステムを補完してもよいことを注記する。この従来の割り出し装置は、実際、ブレスレットの長さ調節用装置の調節組立体の、留め金の長手方向に変位可能な、締結装置の機能を充足する。このため、当該変位可能な締結装置は、異なるブレスレット長を引き起こすことができる。当該締結装置は、リンク１上に配置され、カバーの対応する歯３５’に対して歯２３を維持する力を発揮するばね２４にさらされた歯２３を含むことができる。当該実施形態において、歯３５’は、カバー２１の上壁の内面上で、調節組立体の第２案内装置３０と第２割り出し要素３５とを含む側壁２２に対して直角に、配置される。歯２３と歯３５’は、締結装置の、それぞれ調節組立体とカバーの、締結要素を形成する。当該実施形態において、留め金カバー２１の第２締結要素３５’と、留め金カバー２１の第２割り出し要素３５は、カバー２１の２つの異なる面上に配置されることが明らかである。その他の配置も、好ましくはカバーの２つの異なる区域に配置された第２締結要素３５’と第２割り出し要素３５に関して、予期できる。
【００４１】
このため、本発明は、第１案内要素１０を含むリンクと、第２案内要素３０を含む留め金カバー２１とを含む、ブレスレット延長装置に関し、リンクとカバーは、それぞれの案内要素１０、３０の協働により互いに可動に連結され、リンクは、カバー２１の第２割出し要素３５と協働する第１割出し要素１５を含む。
【００４２】
第２割出し要素を形成する切り込みは、従来技術から既知の切り込みを、例えば締結装置を形成する図２で特に可視の切り込み３５’を、補完する。このため割出し要素は、とりわけ締結装置へ適切に作用するよう、調節組立体の適切な位置を可能にすることによってユーザによる調節を補助する、予備位置決め要素を形成する。当該割出し装置は、調節を可能にするよう様々な切り込みから簡単に抜け出せるため、調節組立体の締結には十分ではない。割出し装置は、締結機能を充足しない。上述のように、割出し装置は、別個の締結装置を補完する。
【００４３】
割出し要素は、案内要素と、または案内要素の近傍でまたは介して配置された別個の要素と一体構造組立体を形成してもよい。更に、割出し要素は、ばねにより弾性的に戻されるボールを含むボールラチェットといった組立体の形状をとってもよく、ここでばねは、図３で特に可視のバー３のばね３４を補完または代替してもよい。
【００４４】
本実施形態によれば、ばね３４は、第２割出し要素３５へ向かう弾性推力を第１割出し要素１５へ発揮し、当該ブレスレットの長さ調節の段階において第１及び第２割出し要素１５、３５の開放を可能にするよう、第１割出し要素１５と協働する。
【００４５】
これら割出し要素は、案内要素が受けるストレスと酷似するストレスを受けているようである。このため、割出し要素も、有利には、ポリアリールエーテルケトン（ＰＡＥＫ）族に属するポリマー素材を含んでもよい。加えてまたは代替的に、割出し要素は、他の素材を含んでもよい。
【００４６】
変形例として、第１割出し要素１５は、第１案内要素１０とは独立して実施されてもよい。
【００４７】
このため、本発明はまた、留め金カバーに連結された少なくとも１つのリンクを含む、ブレスレット延長装置に関し、リンクは第１割出し要素１５を含み、留め金のカバー２１は第２割出し要素３５を含み、２つの部品は互いに可動に連結され、第１割出し要素１５及びまたは第２割出し要素３５は、ポリアリールエーテルケトン（ＰＡＥＫ）族に属するポリマー素材を含む接触面を含む。
【００４８】
ブレスレットの長さを調節するにあたり、ユーザは、歯２３を留め金の切り込み３５’の切り込みから解放するために、調節組立体のリンク１を回転させはじめ、これにより調節組立体の締結装置を開放する。当該動作は、適切な方向へブレスレットリンクを引くことでも実施可能である。これにより、組立調節体は、上述のように案内要素１０、３０を介して、組立調節体を留め金に対して長手方向に変位可能にする開放位置を取る。この変位において、組立調節体は、割出し要素により予め定義された様々な安定位置に自動的に連続して位置決めされる。これら割出し要素は、有利には、締結装置のピッチに等しいピッチで、従って各割出し要素が締結位置に対応するよう、分布される。この場合、調節組立体は、その長手方向変位の際、様々な規定の長さ設定に対応する様々な長手方向位置において組立体の位置決めを容易にする、調節組立体の弾性要素の影響下で、割出し要素により予め定義された位置に、自動的に位置される。このように、ブレスレットの長さの調節は、補助され、非常に使い勝手が良くなる。ユーザが調節を継続したい場合、ユーザは調節組立体の変位を継続し、ユーザが発揮する力は、調節組立体の弾性要素の力に対抗して、遭遇した中間割出し要素からの解放を可能にする。
【００４９】
本発明はまた、上述のブレスレット延長装置を包含する、ブレスレット及びまたは留め金及びまたは腕時計に関する。
【符号の説明】
【００５０】
１、２      リンク
３      バー
１０    第１案内要素
１５    第１割出し要素
２１    留め金カバー
３０    第２案内要素
３５    第２割出し要素
【図１】
2021513885.tif 000003
【図２】
2021513885.tif 000004
【図３】
2021513885.tif 000005
【図４】
2021513885.tif 000006
【図５】
2021513885.tif 000007
【図６】
2021513885.tif 000008
【図７】
2021513885.tif 000009
【図８】
2021513885.tif 000010
【図９】
2021513885.tif 000011
【国際調査報告】
2021513885.tif 000012
2021513885.tif 000013
2021513885.tif 000014
2021513885.tif 000015